(57)【要約】  【課題】  シャフトの径の小型化と下ろくろのロックを確実に行うことができるようにする。  【解決手段】    下ろくろを、傘のシャフト部分にスライド自在に嵌挿可能な管状の本体と、該本体の管璧に形成された係止片収納部と、該係止片収納部に揺動自在に軸支され先端に引掛部が形成された細長状の係止片と、この係止片を回転方向に付勢するばね手段と、係止片の後部に固設された外部操作可能な係止解除部材とで構成する。ばね手段によって係止片の引掛部をシャフト部分の外周面に弾接する。シャフト部分の所定位置には係止片の引掛部を受け入れる係止穴を設けるる。係止片の引掛部が係止穴に嵌入したとき、下ろくろの本体がシャフト部分に解除可能に係止される。【選択図】  図１
2008142310.tif 000002
【特許請求の範囲】
【請求項１】
傘のシャフト部分２に沿って上下動させて、傘の開閉を行うための下ろくろ８を、前記シャフト部分２に解除可能にロックする下ろくろ係止機構であって、前記下ろくろ８を、前記シャフト部分２にスライド自在に嵌挿可能な管状の本体８ａと、該本体８ａの管璧に形成された係止片収納部１８と、該係止片収納部１８に揺動自在に軸支され先端に引掛部１４ｃが形成された細長状の係止片１４と、前記係止片１４を前記軸支部を中心として所定回転方向に付勢するばね手段と、前記係止片１４の後部に固設された外部操作可能な係止解除部材３６とで構成し、前記ばね手段の弾力によって前記係止片１４の引掛部１４ｃを前記シャフト部分２の外周面に弾接し、前記シャフト部分２の所定位置に前記引掛部１４ｃを受け入れる係止穴３４を設け、前記引掛部１４ｃが前記係止穴３４に嵌入したとき、前記本体８ａが前記シャフト部分２に解除可能に係止されるようにしたことを特徴とする下ろくろの係止機構。
【請求項２】
前記係止片収納部１８は、前記本体８ａの軸方向に沿って延びる互いに平行なガイド壁面２０，２２を有し、前記係止片１４の両側面が前記ガイド壁面２０，２２間に揺動自在に配置され、該ガイド壁面２０，２２によって前記係止片１４の横ブレが阻止されるようにしたことを特徴とする請求項１に記載の下ろくろ係止機構。
【請求項３】
前記係止片１４は、ばね支持軸２６によって前記係止片収納部１８に揺動自在に支承され、該係止片１４は、所定の間隔を存して対向する一対の側面部１４ａ，１４ｂを有し、該側面部１４ａ，１４ｂを前記ばね支持軸２６が貫通し、該一対の側面部１４ａ，１４ｂの内側に位置してコイルばね３２が前記ばね支持軸２６に嵌挿配置され、該コイルばね３２の一方が前記係止片１４に係合し、該コイルばね３２の他方が前記本体８ａの側に係合し、該コイルばね３２が前記ばね手段を構成し、前記側面部１４ａ，１４ｂの外側面が前記ガイド壁面２０，２２に対面して配置され、該側面部１４ａ，１４ｂの前記ばね支持軸２６を中心とする揺動の横ブレ方向の変位が前記ガイド壁面２０，２２によって規制されるようにしたことを特徴とする請求項２に記載の下ろくろ係止機構。
【発明の詳細な説明】
【技術分野】
【０００１】
本発明は、傘のシャフト部分に沿って上下動させて、傘の開閉を行うための下ろくろを、シャフト部分に解除可能にロックするための下ろくろ係止機構に関する。
【背景技術】
【０００２】
洋傘において、シャフトの内側にはじきを弾発配置し、下ろくろをこのはじきによってシャフトの所定上昇位置に解除可能に係止するようにした下ろくろ係止機構が従来知られている（例えば特許文献１参照）。
【特許文献１】特開平１１−５６４３２号公報
【発明の開示】
【発明が解決しようとする課題】
【０００３】
シャフトの内側にはじきを配置した構成を採用すると、シャフトをあまり細くできない。下ろくろを係止するはじきは、ある程度の強度を必要とするため、あまり小型化できない。そのため、はじきを内蔵するにはシャフトにある程度の径が必要とされ、径の小型化に限界があった。
一方、下ろくろの上昇位置でのロックは、下ろくろを強いばね力で上昇方向に付勢し、このばね力によって実現することもできる。この場合には、下ろくろはその係止を解除するとばね力によって自動的に上昇するので、はじきを必要としない。そのため、はじきを用いることによる上記シャフト径の限界の問題は解消できるが、ばね力により下ろくろを上昇させる方式は、下ろくろの係止を解除した途端に傘が急激に開いてしまうことになり、きわめて危険であるという問題点がある。
本発明は上記問題点を解決することを目的とする。
【課題を解決するための手段】
【０００４】
上記目的を達成するため本発明は、傘のシャフト部分２に沿って上下動させて、傘の開閉を行うための下ろくろ８を、前記シャフト部分２に解除可能にロックする下ろくろ係止機構であって、前記下ろくろ８を、前記シャフト部分２にスライド自在に嵌挿可能な管状の本体８ａと、該本体８ａの管璧に形成された係止片収納部１８と、該係止片収納部１８に揺動自在に軸支され先端に引掛部１４ｃが形成された細長状の係止片１４と、前記係止片１４を前記軸支部を中心として所定回転方向に付勢するばね手段と、前記係止片１４の後部に固設された外部操作可能な係止解除部材３６とで構成し、前記ばね手段の弾力によって前記係止片１４の引掛部１４ｃを前記シャフト部分２の外周面に弾接し、前記シャフト部分２の所定位置に前記引掛部１４ｃを受け入れる係止穴３４を設け、前記引掛部１４ｃが前記係止穴３４に嵌入したとき、前記本体８ａが前記シャフト部分２に解除可能に係止されるようにしたものである。
また本発明は、前記係止片収納部１８は、前記本体８ａの軸方向に沿って延びる互いに平行なガイド壁面２０，２２を有し、前記係止片１４の両側面が前記ガイド壁面２０，２２間に揺動自在に配置され、該ガイド壁面２０，２２によって前記係止片１４の横ブレが阻止されるようにしたものである。
また本発明は、前記係止片１４は、ばね支持軸２６によって前記係止片収納部１８に揺動自在に支承され、該係止片１４は、所定の間隔を存して対向する一対の側面部１４ａ，１４ｂを有し、該側面部１４ａ，１４ｂを前記ばね支持軸２６が貫通し、該一対の側面部１４ａ，１４ｂの内側に位置してコイルばね３２が前記ばね支持軸２６に嵌挿配置され、該コイルばね３２の一方が前記係止片１４に係合し、該コイルばね３２の他方が前記本体８ａの側に係合し、該コイルばね３２が前記ばね手段を構成し、前記側面部１４ａ，１４ｂの外側面が前記ガイド壁面２０，２２に対面して配置され、該側面部１４ａ，１４ｂの前記ばね支持軸２６を中心とする揺動の横ブレ方向の変位が前記ガイド壁面２０，２２によって規制されるようにしたものである。
【発明の効果】
【０００５】
本発明は、傘のシャフトにはじきを内蔵しないで下ろくろをシャフトに係止できるようにしたので、シャフトの径の小型化を実現することができる。
【発明を実施するための最良の形態】
【０００６】
以下に本発明の実施の形態を添付した図面を参照して詳細に説明する。
図３は、折り畳み式洋傘のシャフト部分と、骨組み部分の一部を示す説明図であり、傘を開いた状態を示している。シャフト部分２は、３本のシャフトからなり、一番太い下部シャフト（図示省略）には、中間スライドシャフト４が嵌合配置され、該スライドシャフト４に上部スライドシャフト６が嵌合配置されている。
【０００７】
前記シャフト部分２には、下ろくろ８がスライド可能に嵌合配置されている。前記上部スライドシャフト６の上端には、石突が固設された上ろくろ１０が固設されている。前記下部シャフトの下端には取っ手（図示省略）が固定されている。前記下部シャフトと、スライドシャフト４，６から成るシャフト部分２は全体として伸縮自在な入れ子式のいわゆる中棒を構成している。前記シャフト部分２は、３本のシャフトが互いに相対回転しないように、互いに回転防止機構（図示省略）を介して嵌合し、３本のシャフトは軸方向にのみ互いにスライド自在に嵌合している。
【０００８】
前記上ろくろ１０と下ろくろ８には、折り畳み自在な骨部分１２が結合している。シャフト部分２を伸ばし、下ろくろ８を、シャフト部分２に沿って先端方向に移動させると、図３に示すように、骨部分１２が、下ろくろ８の移動に伴って開く。下ろくろ８は、最先端位置まで移動すると、図１に示すように、下ろくろ８に内蔵された係止片１４によって、上部スライドシャフト６に解除可能に係止されるように構成されている。
【０００９】
図１及び図２は、下ろくろ８の内部構造を示している。下ろくろ８の本体８ａは合成樹脂の筒体により構成され、中空部がシャフト部分２にスライド自在に遊嵌している。前記下ろくろ８の本体８ａの凹溝部１６には、骨部分１２の受骨１２ａの各一端が枢支され、下ろくろ８は、受骨１２ａとの結合によって、シャフト部分２に対して、回転方向の移動が規制されている。前記本体８ａの管璧には肉厚部分が形成され、この肉厚部分に、本体８ａの軸方向に延びる穴からなる係止片収納部１８が形成されている。
【００１０】
該係止片収納部１８には、図７に示すように、係止片１４の両側面を本体８ａの軸方向に対して平行な方向に規制する、互いに平行なガイド壁面２０，２２が所定間隔を存して形成されている。前記係止片収納部１８の上面と下面は開放され、上面の開放部には、蓋体２４が脱着可能に嵌着している。前記係止片収納部１８のガイド壁面２０，２２には、ばね支持軸２６の両端を受け入れこれを回転自在に保持する溝２８，３０が穿設されている。前記係止片１４は、図８に示すように、その中間部に、互いに所定の間隔を存して対向する一対の側面部１４ａ，１４ｂを有し、その一方端に、下向き直角方向に屈折した引掛部１４ｃが形成され、その他方端に、係止解除部材取り付け用の立ち上がり部１４ｄが形成されている。
【００１１】
前記立ち上がり部１４ｄには、係止解除部材３６が固着されている。前記側面部１４ａ，１４ｂの中間部には、係止片１４の長手方向に対して直角方向に貫通するばね支持軸２６が貫通配置され、該ばね支持軸２６には、前記側面部１４ａ，１４ｂ間に位置して、コイルばね３２が嵌挿配置されている。前記ばね支持軸２６の両端は、前記溝２８，３０に嵌挿され、係止片１４は、ばね支持軸２６を中心として図１中、シャフト部分２の外周面に対して垂直な平面内で、回転自在に前記係止片収納部１８内に支承されている。前記コイルばね３２の一方の引き出し部３２ａは、前記係止片収納部１８の上面開放部に嵌着された蓋体２４の下面に係合し、前記コイルばね３２の他方の引き出し部３２ｂは、前記一対の側面部１４ａ，１４ｂの中の一方の側面部１４ａに係合している。
【００１２】
前記係止片１４は、前記コイルばね３２の弾力によって、図１中、ばね支持軸２６を中心として、反時計方向に付勢されている。前記係止片１４は、前記係止片収納部１８内で、側面部１４ａ，１４ｂの両外側面が、本体８ａの軸方向に延びる前記ガイド壁面２０，２２に当接し、該ガイド壁面２０，２２によって、横ブレ方向の移動が規制されている。前記上部スライドシャフト６の所定位置には、前記係止片１４の引掛部１４ｃを受け入れ、これと係合する係止穴３４が穿設されている。
【００１３】
上記した構成において、傘が閉じた状態では、係止片１４の先端の引掛部１４ｃはシャフト部分２の外周面に、コイルばね３２の弾力によって弾接している。傘を開くときは、シャフト部分２を伸ばし、下ろくろ８をシャフト部分２に沿ってその先端方向に移動させる。図２は、シャフト部分２を伸ばした状態において、係止片１４が、上部スライドシャフト２の外周面に弾接している状態を示している。下ろくろ８を、上部スライドシャフト２に沿って、先端方向に所定位置まで移動すると、係止片１４は、上部スライドシャフト２の係止穴３４に嵌合し、下ろくろ８は、上部スライドシャフト２の先端側の所定位置に係止される。
【００１４】
該下ろくろ８が係止された状態において、図３に示すように、傘が開いた状態となる。傘を閉じたいときは、ボッチから成る係止解除部材３６を押し、係止片１４を、コイルばね３２の弾力に抗して、図１中、ばね支持軸２６を中心として、時計方向に揺動させる。この係止片１４の揺動によって、係止片１４は係止穴３４から外れ、下ろくろ８は自由にシャフト部分２に沿ってスライド自在となる。該状態において、下ろくろ８を、シャフト部分２に沿って、取っ手側にスライドさせる。
【００１５】
係止片１４は、図４に示すように、両外側面が、係止片収納部１８の両ガイド壁面２０，２２によって規制されるため、係止片１４の位置がシャフト部分２に対して、左右方向即ちその軸方向に対して直角方向にブレることがなく、係止片１４の引掛部１４ｃは、下ろくろ８のシャフト部分２に沿った移動により、正確に係止穴３４上に導かれる。
【図面の簡単な説明】
【００１６】
【図１】本発明に係る下ろくろ係止機構の断面図である。
【図２】本発明に係る下ろくろ係止機構の断面図である。
【図３】傘のシャフト部分と骨部分を示す説明図である。
【図４】下ろくろの平面図である。
【図５】下ろくろ本体の平面図である。
【図６】下ろくろのＡ−Ａ線断面図である。
【図７】下ろくろのＢ−Ｂ線断面図である。
【図８】係止片の平面図である。
【符号の説明】
【００１７】
２      シャフト部分
４      中間スライドシャフト
６      上部スライドシャフト
８      下ろくろ
８ａ    本体
１０    上ろくろ
１２    骨部分
１４    係止片
１４ａ  側面部
１４ｂ  側面部
１４ｃ  引掛け部  
１６    凹溝部
１８    係止片収納部
２０    ガイド壁面
２２    ガイド壁面
２４    蓋体
２６    ばね支持軸
２８    溝
３０    溝
３２    コイルばね
３４    係止穴
３６    係止解除部材
【図１】
2008142310.tif 000003
【図２】
2008142310.tif 000004
【図３】
2008142310.tif 000005
【図４】
2008142310.tif 000006
【図５】
2008142310.tif 000007
【図６】
2008142310.tif 000008
【図７】
2008142310.tif 000009
【図８】
2008142310.tif 000010